(57)【要約】【課題】いたずら防止機能を有する低コストの複合容器とそれに用いる折り込みカートンを提供する。【解決手段】複合容器１は、スリーブ形状の折り込みカートン２とカップ形状の容器本体３とからなっている。折り込みカートン２は、容器本体３を収容するための収容空間２Ｓと、収容空間２Ｓに容器本体３を入れるための開口２Ａと、収容空間２Ｓ内への折り込みにより開口２Ａの一部を覆うフラップ４と、を有する。フラップ４には、折り込みを構成する折り目１８に沿ってミシン目Ｍが形成されている。【選択図】図１
2020104860.tif 000002
【特許請求の範囲】
【請求項１】
内容物を収容するための収容空間と、前記収容空間に前記内容物を入れるための開口と、を有するスリーブ形状の折り込みカートンであって、
前記収容空間内への折り込みにより前記開口の一部を覆うフラップを有し、
前記フラップには、前記折り込みを構成する折り目に沿ってミシン目が形成されていることを特徴とする折り込みカートン。
【請求項２】
前記収容空間が、対向する天面板及び底面板と、対向する前面板及び背面板と、対向する２枚の側面板と、で囲まれるように形成されており、
前記フラップが、前記側面板と、第１折り込み部と、第２折り込み部と、を有し、
前記天面板と前記側面板との境界と、前記前面板と前記第２折り込み部との境界と、前記背面板と前記第２折り込み部との境界と、前記側面板と前記第１折り込み部との境界と、前記第１折り込み部と前記第２折り込み部との境界と、に前記折り込みを構成する折り目が形成されており、
前記側面板と前記第１折り込み部との境界の折り目に沿って前記ミシン目が形成されていることを特徴とする請求項１記載の折り込みカートン。
【請求項３】
前記フラップの折り込み状態において、前記第２折り込み部が前記前面板又は前記背面板に固定されていることを特徴とする請求項２記載の折り込みカートン。
【請求項４】
紙又は樹脂からなる１枚のブランク板の折り曲げにより形成されたものであることを特徴とする請求項１〜３のいずれか１項に記載の折り込みカートン。
【請求項５】
請求項１〜４のいずれか１項に記載の折り込みカートンと、前記収容空間に前記内容物として収容された容器本体と、を備えたことを特徴とする複合容器。
【請求項６】
前記容器本体が、食品を収容するカップと、そのカップの開口を閉じる蓋と、で構成されていることを特徴とする請求項５記載の複合容器。
【発明の詳細な説明】
【技術分野】
【０００１】
本発明は折り込みカートンと複合容器に関するものであり、例えば、厚紙製の折り込みカートンと、その折り込みカートンの内部にプラスチック製の容器本体が設けられた複合容器と、に関するものである。
【背景技術】
【０００２】
プラスチックトレイ（ゲス）は、箱や袋の中で製品を固定するために用いられるが、その製造には成形型が必要になることから、内容物が大量生産する製品でなければ使用することができない。つまり、製品保護や意匠性のためにゲスが必要であっても、生産量が少ないとコストアップを招くため、ゲスを使用することができず、結果として、製品化することができない。そのような場合、製品を保持する形状が紙容器に付加されて、組み立てと同時にゲスとなる折り込みカートンが使用される。カートンの所定形状の保持には、折り込み部分の安定化しようとする反発力が利用されるため、効果的に低コスト化を図ることができる。
【０００３】
折り込みカートンは箱とゲスを兼ねており、カートン内の製品が開口から見えるように折り込み部分を小さく構成することができるため、意匠性にも優れている。また、貼りの場所が少なくて済むため、機械での成型性にも優れている。しかし、折り込みが行われる開口の部分から製品（例えば、アイスクリーム等の食品が充填された容器本体）が取り出されて、いたずら（異物の混入等）される可能性がある。つまり、貼りを剥がした形跡を残さずにカートン内から製品を取り出すことが可能であるため、製品に対するいたずらの懸念が払拭できない。
【０００４】
上記のような折り込みカートンを外箱として備えた複合容器が、特許文献１で提案されている。その複合容器は、上部が開口した収容空間を備えたトレー容器と、そのトレー容器を収容する外箱とで構成されている。外箱は、トレー容器に周囲から接触してそのトレー容器を摩擦保持する周壁と、底壁と、その底壁に対向していてトレー容器をスライド式に出し入れ可能な開口と、を備えており、外箱の開口周縁よりも下方に位置する壁部が、トレー容器の収容空間内に折り込まれている。
【先行技術文献】
【特許文献】
【０００５】
【特許文献１】特開２０１７−８８１７９号公報
【発明の概要】
【発明が解決しようとする課題】
【０００６】
特許文献１に記載の複合容器では、製品に対するいたずらを防止するために、全体をシュリンクフィルムで覆うことが必要になる。いたずらされたかどうかはシュリンクフィルムの状態から判別可能であるが、このシュリンクフィルムの追加はコストアップの原因になってしまう。
【０００７】
本発明はこのような状況に鑑みてなされたものであって、その目的は、いたずら防止機能を有する低コストの複合容器とそれに用いる折り込みカートンを提供することにある。
【課題を解決するための手段】
【０００８】
上記目的を達成するために、第１の発明の折り込みカートンは、内容物を収容するための収容空間と、前記収容空間に前記内容物を入れるための開口と、を有するスリーブ形状の折り込みカートンであって、
前記収容空間内への折り込みにより前記開口の一部を覆うフラップを有し、
前記フラップには、前記折り込みを構成する折り目に沿ってミシン目が形成されていることを特徴とする。
【０００９】
第２の発明の折り込みカートンは、上記第１の発明において、前記収容空間が、対向する天面板及び底面板と、対向する前面板及び背面板と、対向する２枚の側面板と、で囲まれるように形成されており、
前記フラップが、前記側面板と、第１折り込み部と、第２折り込み部と、を有し、
前記天面板と前記側面板との境界と、前記前面板と前記第２折り込み部との境界と、前記背面板と前記第２折り込み部との境界と、前記側面板と前記第１折り込み部との境界と、前記第１折り込み部と前記第２折り込み部との境界と、に前記折り込みを構成する折り目が形成されており、
前記側面板と前記第１折り込み部との境界の折り目に沿って前記ミシン目が形成されていることを特徴とする。
【００１０】
第３の発明の折り込みカートンは、上記第２の発明において、前記フラップの折り込み状態において、前記第２折り込み部が前記前面板又は前記背面板に固定されていることを特徴とする。
【００１１】
第４の発明の折り込みカートンは、上記第１〜第３のいずれか１つの発明において、紙又は樹脂からなる１枚のブランク板の折り曲げにより形成されたものであることを特徴とする。
【００１２】
第５の発明の複合容器は、上記第１〜第４のいずれか１つの発明に係る折り込みカートンと、前記収容空間に前記内容物として収容された容器本体と、を備えたことを特徴とする。
【００１３】
第６の発明の複合容器は、上記第５の発明において、前記容器本体が、食品を収容するカップと、そのカップの開口を閉じる蓋と、で構成されていることを特徴とする。
【発明の効果】
【００１４】
本発明によれば、折り込みを構成する折り目に沿ってミシン目がフラップに形成されているため、開口から内容物を取り出そうとするとミシン目でフラップが破れてしまい、いたずらされた状態にあることが容易に判別可能となる。それによって、いたずらしようとする心理状態が抑制されるため、効果的にいたずらを防止することができる。しかも、ミシン目を形成するという簡単な構成で済むため、低コスト化にも有効である。したがって、いたずら防止機能を有する低コストの複合容器とそれに用いる折り込みカートンを実現することができる。
【図面の簡単な説明】
【００１５】
【図１】折り込みカートン及び複合容器の一実施の形態を開封前後の状態で示す外観図。
【図２】図１中の折り込みカートンのブランク板を示す平面図。
【図３】図１中の折り込みカートンにおけるフラップの折り込み前状態，折り込み途中状態及び折り込み後状態を示す側面図。
【発明を実施するための形態】
【００１６】
以下、本発明の実施の形態に係る折り込みカートン、それを用いた複合容器等を、図面を参照しつつ説明する。図１に、複合容器１，折り込みカートン２等の外観を開封前後の状態で示す。図１において、（Ａ）は開封前の複合容器１の上面図であり、（Ｂ）は開封後の複合容器１の上面図であり、（Ｃ）は開封前の複合容器１の正面図であり、（Ｄ）は開封前の複合容器１の側面図である。
【００１７】
複合容器１は、スリーブ形状を有する厚紙製の折り込みカートン２と、カップ形状を有するプラスチック製の容器本体３と、で構成されている。折り込みカートン２は、内容物として容器本体３を収容するための収容空間２Ｓと、収容空間２Ｓに容器本体３を入れるための開口２Ａと、を有している。また、容器本体３は、食品Ｆ（例えば、アイスクリーム，プリン，ブリュレ等の菓子類）を収容するカップ３ａと、そのカップ３ａの開口を閉じる蓋３ｂと、で構成されている。
【００１８】
図２の展開図に、折り込みカートン２を構成しているブランク板２Ｂを示す。折り込みカートン２は、この１枚のブランク板２Ｂの折り曲げにより形成される。ブランク板２Ｂは、板状のシート材料を展開図（図２）のように打ち抜くことにより形成されるが、ブランク板２Ｂの材質は厚紙（ボール紙等）に限定されるものではない。例えば、樹脂板（ポリエチレンテレフタレート，ポリプロピレン等の樹脂から成る透明又は不透明な樹脂板）をシート材料として用いてもよい。折り込みカートン２を樹脂製のクリアケースとして構成した場合、折り込みカートン２と容器本体３の両方で商品情報等の表示が可能となる。なお、材質に関しては容器本体３もブランク板２Ｂと同様であり、必要に応じた材質（プラスチック，紙等）が採用可能である。
【００１９】
ブランク板２Ｂは、フラップ４，天面板５，底面板６，前面板７，背面板８及び糊代片９からなっており、フラップ４は、収容空間２Ｓ内への折り込みにより開口２Ａの一部を覆うように（図１（Ｄ）等）、天面板５，前面板７及び背面板８の両側に設けられている。その２つのフラップ４は、天面板５，前面板７及び背面板８に関して対称に配置されている。また、各フラップ４は、１つの側面板４ａと、２つの第１折り込み部４ｂと、２つの第２折り込み部４ｃと、で構成されており、第１，第２折り込み部４ｂ，４ｃは側面板４ａに関して対称に配置されている。
【００２０】
天面板５，底面板６，前面板７，背面板８及び糊代片９内の境界には折り目１１〜１４が形成されている。つまり、糊代片９と前面板７との境界に折り目１１が形成されており、前面板７と天面板５との境界に折り目１２が形成されており、天面板５と背面板８との境界に折り目１３が形成されており、背面板８と底面板６との境界に折り目１４が形成されている。前面板７にはミシン目Ｌで開封タブ７ａが形成されており（図１（Ｃ））、そのミシン目Ｌは天面板５と側面板４ａとの境界の折り目１５に沿って延びている（図２）。開封タブ７ａから前面板７及び天面板５をミシン目Ｌに沿って引き裂くと、複合容器１は図１（Ｂ）に示す開封状態となる。
【００２１】
また、フラップ４，天面板５，前面板７及び背面板８内の境界には折り目１５〜１７が形成されており、フラップ４内の境界には折り目１８，１９が形成されている。つまり、天面板５と側面板４ａとの境界には折り目１５が形成されており、前面板７と第２折り込み部４ｃとの境界には折り目１６が形成されており、背面板８と第２折り込み部４ｃとの境界には折り目１７が形成されており、側面板４ａと第１折り込み部４ｂとの境界には折り目１８が形成されており、第１折り込み部４ｂと第２折り込み部４ｃとの境界には折り目１９が形成されている。これらの折り目１５〜１９は、収容空間２Ｓ内へのフラップ４の折り込みを構成する折り目である。またフラップ４内には、側面板４ａと第１折り込み部４ｂとの境界の折り目１８に沿ってミシン目Ｍが形成されている。
【００２２】
折り込みカートン２の組み立ては、以下のようにブランク板２Ｂを折り目１１〜１９に沿って折り曲げること等によって行われる。まず、折り目１１〜１４に沿ってブランク板２Ｂを折り曲げて、糊代片９を底面板６の内側に貼り付ける。接着剤塗布面にはハーフカットのミシン目が形成されており、ミシン目の数で接着力の調整が可能となっている。次に、折り目１５〜１９に沿ってブランク板２Ｂを折り曲げると、折り込みカートン２の両側に開口２Ａが形成された状態になる。その開口２Ａから収容空間２Ｓ内に容器本体３を投入し、以下に説明するようにフラップ４を収容空間２Ｓ内へ折り込む。
【００２３】
図３の側面図に、折り込みカートン２におけるフラップ４の折り込み動作を示す。図３において、（Ａ）はフラップ４の折り込み前状態を示す側面図であり、（Ｂ）はフラップ４の折り込み途中状態を示す側面図であり、（Ｃ）はフラップ４の折り込み後状態を示す側面図である。
【００２４】
図３（Ａ）に示す折り込み前状態では、第２折り込み部４ｃが紙面に対して垂直に位置しており、折り目１８，１９が山折りになるように側面板４ａと第１折り込み部４ｂが紙面に対して傾斜している。図３（Ｂ）に示すように、第２折り込み部４ｃが紙面に対して平行になるように、第１，第２折り込み部４ｂ，４ｃを収容空間２Ｓ内へ折り込むと、折り目１９が山折りから谷折りへ移行して、側面板４ａと第１折り込み部４ｂが紙面に対して略垂直に配置される。
【００２５】
さらに、第１，第２折り込み部４ｂ，４ｃを収容空間２Ｓ内へ折り込むと、図１（Ｂ）及び図３（Ｃ）に示すように、第２折り込み部４ｃが前面板７及び背面板８に対して裏側から近づき、側面板４ａは紙面に対して平行になるまで移動する。このとき、第１，第２折り込み部４ｂ，４ｃの安定化しようとする反発力によって、折り込みカートン２が立体的な所定形状に保持されて、収容空間２Ｓは、対向する天面板５及び底面板６と（図１（Ｃ））、対向する前面板７及び背面板８と（図１（Ａ））、対向する２枚の側面板４ａと（図１（Ｄ））、で囲まれるように形成される。
【００２６】
上記折り込みカートン２によれば、折り込みを構成する折り目１８に沿ってミシン目Ｍがフラップ４に形成されているため、開口２Ａから容器本体３を取り出そうとするとミシン目Ｍでフラップ４が破れてしまい、いたずら（異物の混入等）された状態にあることが容易に判別可能となる。それによって、いたずらしようとする心理状態が抑制されるため、効果的にいたずらを防止することができる。しかも、ミシン目Ｍを形成するという簡単な構成で済むため、低コスト化にも有効である。したがって、いたずら防止機能を有する低コストの複合容器１とそれに用いる折り込みカートン２を実現することができる。
【００２７】
折り目１５（ミシン目Ｌ）と折り目１８（ミシン目Ｍ）との成す角度α（図２）は、ここでは５０°を想定している。ただし、開口２Ａから容器本体３を取り出そうとしたときにミシン目Ｍでフラップ４が容易に破れるようにするため、側面板４ａの長さや第１，第２折り込み部４ｂ，４ｃの反発力等に応じて、角度αを所定の範囲内で設定することが好ましい（例えば、α＝４０〜６０°）。
【００２８】
折り目１６，１７と折り目１９との成す角度β（図２）は、ここでは６５°を想定している。ただし、フラップ４が引き出されにくいように折り込みカートン２を所定形状に保持する観点から、側面板４ａの長さや第１，第２折り込み部４ｂ，４ｃの反発力等に応じて、角度βを所定の範囲内で設定することが好ましい（例えば、β＝５６〜７３°）。
【００２９】
フラップ４の折り込み状態において、ホットメルト接着剤等で第２折り込み部４ｃを前面板７や背面板８に固定してもよい。第２折り込み部４ｃを固定すると、フラップ４を引いたときにミシン目Ｍでフラップ４が破れやすくなるため、前記いたずらの防止をより効果的に行うことができる。
【００３０】
収容空間２Ｓ内の容器本体３は、フラップ４の折り込みにより、第１，第２折り込み部４ｂ，４ｃの４点で固定される（図１（Ｂ））。フラップ４が折り込まれても、開口２Ａが覆われるのはその一部分のみであるため、容器本体３の一部は開口２Ａから見える状態に保たれる（図１（Ｄ），図３（Ｃ））。未開封の複合容器１では、その両側から容器本体３の一部が見えることによって高級感のある外観が得られる。そして、開封後の複合容器１では、折り込みカートン２が額縁となることによって高級感のある外観が得られる。
【符号の説明】
【００３１】
１    複合容器
２    折り込みカートン
２Ｓ    収容空間
２Ａ    開口
２Ｂ    ブランク板
３    容器本体（内容物）
３ａ    カップ
３ｂ    蓋
４    フラップ
４ａ    側面板
４ｂ    第１折り込み部
４ｃ    第２折り込み部
５    天面板
６    底面板
７    前面板
７ａ  開封タブ
８    背面板
９    糊代片
１１〜１９    折り目
Ｌ，Ｍ  ミシン目
Ｆ    食品
【図１】
2020104860.tif 000003
【図２】
2020104860.tif 000004
【図３】
2020104860.tif 000005